(57)【要約】      （修正有）【課題】火炎が生じず、使用する上で安全な薫香炉の構造を提供する。【解決手段】主基体１１と、香炉台座１２と、電熱部材１３と、雲母片１４と、炉蓋１５と、回路基板と、からなる。その内、前記電熱部材１３の頂部には、電熱線１３１が巻きつけられ、前記電熱部材１３は、前記香炉台座１２の下収容溝内に取り付けられ、前記電熱部材１３の導電線は回路基板に接続される。以上により、回転制御スイッチを捻って電源を入れると、回路基板によって電熱部材１３の電熱線に電熱が生じ、雲母片１４上の香木が加熱され、前記香木が徐々に炭化し、それによって生じた煙の香りが炉蓋１５の孔洞から排出される。【選択図】図１
0003176855.tif 000002
【実用新案登録請求の範囲】
【請求項１】
主基体と、香炉台座と、電熱元件と、雲母片と、炉蓋と、回路基板と、からなる薫香炉の構造であって、
前記主基体の頂部には、香炉台座を取り付けるための凹溝が設けられ、前記主基体の一側には、回路基板を取り付けるための収容室が設けられ、前記凹溝と収容室は通路を形成し、
前記香炉台座には、大きい上収容溝と小さい下収容溝が設けられ、前記香炉台座の内周囲中部には環状縁が設けられ、前記香炉台座は、全体が、前記主基体の凹溝内に設けられ、前記主基体の下容槽には電熱部材が設けられ、
前記電熱部材の頂部には、電熱線が巻きつけられ、前記電熱部材は、前記香炉台座の下収容溝内に設けられ、前記電熱部材の導電線は、主基体の通路から収容室に通されるとともに、回路基板上に接続され、
前記雲母片は、香炉台座の環状縁上に重ねられるとともに、電熱部材の電熱線上面に配置され、
前記回路基板は、電源コンセントと回転制御スイッチに接続され、前記回路基板は、全外が、主基体の収容室内に設けられることを特徴とする、薫香炉の構造。
【請求項２】
前記主基体の外型は、矩形、或いは、円形、或いは、ひょうたん形、或いは、その他の適切な形状であることを特徴とする、請求項１に記載の薫香炉の構造。
【考案の詳細な説明】
【技術分野】
【０００１】
本考案は薫香炉に関し、特に香木を徐々に炭化させることによって、煙の香りを生じさせるため、火炎を生じさせず、使用の安全性が保たれる『薫香炉の構造』に関する。
【背景技術】
【０００２】
従来の薫香炉の構造は、香木の粉末を置くための炉を備え、炉の上面には頂部蓋が設けられる。頂部蓋の上面には、複数の通孔が設けられ、使用者は、そこから、香木の粉末を炉内に入れることができる。そして、香木の粉末を点火して燃やし、頂部蓋をかぶせると、煙の香りが、頂部蓋の通孔から出てくる。なお、使用者は、香木の粉末を炉内に入れた後、ライターを炉内にまで入れて香木の粉末を点火しなければならないが、ライターはこの時さかさまの状態になるため、点火する際に、気をつけないと、火炎が使用者の手にあたってしまうことがよくある。或いは、因燒熱ライターの金属の着火部分が熱くなって、使用者の指がやけどしてしまうことがある。従って、使用する上で相当不便であるだけでなく、危険である。従来の技術は、以上のような欠陥があるため、より理想的な技術にするため、研究改善の余地があるといえる。
【考案の概要】
【考案が解決しようとする課題】
【０００３】
そこで、本考案は、火炎が生じず、使用する上で安全な薫香炉の構造を提供することを目的とする。
【０００４】
また、本考案は、煙の香りを放つ時間を設定することができ、製品の経済効果を高めることができる、薫香炉の構造を提供することを目的とする。
【課題を解決するための手段】
【０００５】
本考案による薫香炉の構造は、主基体と、香炉台座と、電熱部材と、雲母片と、炉蓋と、回路基板と、からなる。その内、前記電熱部材の頂部には、電熱線が巻きつけられ、前記電熱部材は、前記香炉台座の下収容溝内に取り付けられ、前記電熱部材の導電線は回路基板に接続される。以上により、回転制御スイッチを捻って電源を入れると、回路基板によって電熱部材の電熱線に電熱が生じ、雲母片上の香木が加熱され、前記香木が徐々に炭化し、それによって生じた煙の香りが炉蓋の孔洞から排出される。
【０００６】
回路基板には、回転制御スイッチが設けられる。前記回転制御スイッチによって、出力する電圧の大きさを調整でき、前記電熱線から生じる電熱量を制御でき、香木からでる煙の香りの量を設定でき、煙の香りが出る時間を設定できる。
【図面の簡単な説明】
【０００７】
【図１】本考案の構造の実施例１の構成部材を示した分解斜視図である。
【図２】本考案を組み合わせた状態を示した断面図である。
【図３】本考案の電熱部材ユニットを拡大した斜視図である。
【図４】本考案を組み合わせた外観を示した斜視図である。
【図５】本考案の構造の実施例２を組み合わせた外観を示した斜視図である。
【図６】本考案の図５の実施例を組み合わせた状態を示した断面図である。
【考案を実施するための形態】
【０００８】
（実施例１）
まず、図１から図４を参照する。本考案による薫香炉の構造は、主基体１１と、香炉台座１２と、電熱部材１３と、雲母片１４と、炉蓋１５と、回路基板１６底蓋等の部材からなる。
【０００９】
主基体１１の頂部には、香炉台座１２を取り付けるための凹溝１１１が設けられ、主基体１１の一側には、回路基板１６を収容するための収容室１１２が設けられ、凹溝１１１と収容室１１２は、通路１１３を形成する。
【００１０】
香炉台座１２は、耐高温絶縁材料からなるとともに、比較的広い収容溝１２１と比較的小さい下収容溝１２２を備え、その内周囲中部には、環状縁１２３が設けられる。香炉台座１２は、上から下へと主基体１１の凹溝１１１内に取り付けられ、その下収容溝１２２には電熱部材１３が取り付けられる。
【００１１】
電熱部材１３の頂部には、平面方式で、電熱線１３１が巻かれ、電熱部材１３は、上から下に向かって香炉台座１２の下収容溝１２２内に取り付けられる。また、その導電線１３２は、主基体１１の通路１１３から収容室１１２へと取り付けられ、導電線１３２が回路基板１６に溶接される。
【００１２】
複数の雲母片１４は、香炉台座１２の環状縁１２３の上に重ねられる。即ち、電熱部材１３の電熱線１３１の上面に配置される。
【００１３】
炉蓋１５は香炉台座１２の上面に嵌合される。なお、炉蓋１５の蓋面には、複数の孔洞１５１が設けられる。
【００１４】
回路基板１６には、複数の電子制御パーツ（図示せず）が設けられるとともに、電源コンセント１６１、回転制御スイッチ１６２が接続され、電源コンセント１６１によって、変圧器を通して直流電源を提供することができる。回路基板１６は、全体が、主基体１１の収容室１１２内に収容される。
【００１５】
これまでに、本考案『薫香炉の構造』の各部材やその位置関係について説明した。引き続き、本考案の使用状況について以下に説明を行う。
【００１６】
図２と図４に示すように、まず、炉蓋１５を開け、香炉台座１２内の雲母片１４上に香木２１を置く。次に、炉蓋１５を被せ、回転制御スイッチ１６２を捻って電源を起動させると、回路基板１６によって電熱部材１３の電熱線１３１に電熱が生じ、雲母片１４上の香木２１に対して加熱されることで、香木２１は次第に炭化し、それによって生じた煙の香りが炉蓋１５の孔洞１５１から排出される。このように、本考案の香木２１は火炎が生じず、使用の安全性を確保することができる。
【００１７】
そのほかとして、回転制御スイッチ１６２は、出力する電圧の大きさを調整することができる。つまり、電熱線１３１から生じる電熱量を設定することができ、言いかえると、香木２１からでる香り量を制御することができ、出る煙の香りの時間を設定する機能をもつともいえる。このように、製品の経済的効果も高めることができる。
【００１８】
本考案の回路基板１６に設けた複数の電子制御パーツ（図示せず）に関しては、タイマーで電源が切れる機能を備えていさえすれば、本考案では特に制限を設けないため、ここでは記載を省略するものとする。
【符号の説明】
【００１９】
１１        主基体    
１１１      凹溝                    
１１２      収容室   
１１３      通路
１２        香炉台座        
１２１      上収容溝                
１２２      下収容溝
１２３      環状縁
１３        電熱部材    
１３１      電熱線                
１３２      導電線
１４        雲母片
１５        炉蓋            
１５１      孔洞
１６        回路基板  
１６１      電源コンセント    
１６２      回転制御スイッチ
２１        香木  
【図１】
0003176855.tif 000003
【図２】
0003176855.tif 000004
【図３】
0003176855.tif 000005
【図４】
0003176855.tif 000006
【図５】
0003176855.tif 000007
【図６】
0003176855.tif 000008